(57)【要約】      （修正有）【課題】スキャン中において浸漬媒体が減少することによって生じる信号損失を抑制しつつ、レーザスキャンシステムにおいて浸漬型対物レンズを用いることができるＣＡＲＳシステムを提供する。【解決手段】本発明に係る光計測装置２００は、浸漬媒体２１０として用いる液体を収容する液体容器２０７内にサンプル容器を吊り下げ、集束レンズ２０６の開口部分を液体内に突出させた状態で、集束レンズを液体容器に固定する。集光レンズ２１１は、集束レンズが試料に対して光を照射することにより試料から生じる信号光を集光する。分光計２１２とカメラ２１３は、信号光を検出する。【選択図】図２
2020193883.tif 000002
【特許請求の範囲】
【請求項１】
光を用いて試料を計測する光計測装置であって、
パルス光を出射する光源、
前記パルス光を第１光と第２光に分岐する光分岐部、
前記第１光からストークス光を生成する光学素子、
前記ストークス光を前記第２光と結合することにより照射光を生成する光結合部、
前記照射光を前記試料に対して集束する集束レンズ、
浸漬媒体として液体を収容する液体容器、
前記試料を収容するサンプル容器、
前記サンプル容器を保持するサンプルステージ、
前記照射光によって前記試料を照射したとき前記試料から生じる信号光を集光する集光レンズ、
を備え、
前記サンプルステージは、前記液体容器内の前記液体中に前記サンプル容器を保持し、
前記集光レンズは、前記液体容器内に前記液体が充填されたとき、前記集光レンズの開口部が前記液体容器内の前記液体中に浸漬されるように、前記液体容器に対して固定されている
ことを特徴とする光計測装置。
【請求項２】
前記サンプル容器は、前記試料を収容する複数のウェルを備え、
前記サンプル容器は、前記集束レンズによって前記照射光が集束される位置に前記複数のウェルの何れも配置されるように前記サンプル容器が前記液体容器内で移動することができるサイズを有する
ことを特徴とする請求項１記載の光計測装置。
【請求項３】
前記サンプル容器は、前記試料を収容するウェルを備え、
前記ウェルの深さと前記ウェルの開口サイズは、前記試料から生じた前記信号光が前記ウェルの内側面によって遮蔽されないように構成されている
ことを特徴とする請求項１記載の光計測装置。
【請求項４】
前記サンプル容器はさらに、
前記試料を収容するウェル、
前記ウェルの上面を覆う上側プレート、
前記ウェルの下面を覆う下側プレート、
を備え、
前記ウェルは、前記上側プレートと前記下側プレートによって封止されている
ことを特徴とする請求項１記載の光計測装置。
【請求項５】
前記サンプル容器はさらに、前記集束レンズが前記照射光を集束する位置に対して前記液体が入り込まないようにするブロック部材を備える
ことを特徴とする請求項１記載の光計測装置。
【請求項６】
前記光計測装置はさらに、前記集束レンズの開口部と前記サンプル容器の底面との間の領域において前記液体の流れを生じさせることにより、前記領域から気泡を押し出す、液流生成部を備える
ことを特徴とする請求項１記載の光計測装置。
【請求項７】
前記液流生成部はさらに、
前記液体容器の外において前記液体を収容する第２容器、
前記第２容器から前記領域へ向けて前記液体を噴射する噴射ノズル、
前記液体が前記液体容器から出ていく液体排出口、
を備える
ことを特徴とする請求項６記載の光計測装置。
【請求項８】
光計測装置を用いて試料を計測する光計測方法であって、
前記光計測装置は、
パルス光を出射する光源、
前記パルス光を第１光と第２光に分岐する光分岐部、
前記第１光からストークス光を生成する光学素子、
前記ストークス光を前記第２光と結合することにより照射光を生成する光結合部、
前記照射光を前記試料に対して集束する集束レンズ、
浸漬媒体として液体を収容する液体容器、
前記試料を収容するサンプル容器、
前記サンプル容器を保持するサンプルステージ、
前記照射光によって前記試料を照射したとき前記試料から生じる信号光を集光する集光レンズ、
を備え、
前記サンプルステージは、前記液体容器内の前記液体中に前記サンプル容器を保持し、
前記集光レンズは、前記液体容器内に前記液体が充填されたとき、前記集光レンズの開口部が前記液体容器内の前記液体中に浸漬されるように、前記液体容器に対して固定されており、
前記光計測方法は、
前記液体容器内に前記液体を充填するステップ、
前記光計測装置を用いて前記試料に対して前記照射光を照射することにより前記試料を計測するステップ、
を有する
ことを特徴とする光計測方法。
【発明の詳細な説明】
【技術分野】
【０００１】
本発明は、光を用いて試料を計測する光計測装置に関する。
【背景技術】
【０００２】
生物学的用途において、計測したい化学物質に対して蛍光ラベルやタグを付与し、蛍光計測によって対象物質の分布等を計測する手法がある。しかし、化学物質にラベルやタグを付与すると、計測対象に意図しない影響が生じる。例えば生物学的反応経路を変化させたり、競合阻害に起因して生物学的機能を阻害したりすることである。ラベルやタグはこのような作用を有するので、蛍光分光に代えてラマン分光が用いられる場合がある。ラマン分光では各分子に固有のラマンスペクトルを得ることができ、ラベルフリーかつ非侵襲・非破壊で化学種を検出できる。さらにこのラマン分光のうち近年非線形ラマン分光であるコヒーレント反ストークスラマン分光（ＣＡＲＳ）が注目されている。
【０００３】
ＣＡＲＳは３次非線形光学プロセスを用いる技術である。ＣＡＲＳのコヒーレント性により、自発ラマン散乱プロセスと比較すると信号レベルを格段に増加させることができる。信号レベルが増加することにより、ＣＡＲＳシステムは自発ラマンよりも高速に動作することができる。
【０００４】
ＣＡＲＳシステムでは位相整合と呼ばれる制約条件を緩和するために、高開口数（ＮＡ）対物レンズがしばしば用いられる。また高いＮＡの対物レンズを用いることで計測の空間分解能も向上する。高ＮＡ対物レンズの一部では、ＮＡを向上させるため浸漬媒体を用いる。しかし、これら液浸対物レンズは、化学的および生物学的スクリーニング用途等に使われるウェルプレートを用いた計測に使用する際に問題がある。
【０００５】
ウェルプレートでは各ウェルにサンプルが注入され、各ウェルをスキャンしながら計測を行うこととなる。しかし浸漬型対物レンズを用いると、サンプルをスキャンした場合に浸漬媒体が対物レンズ上に留まることができない。これはウェルプレートが移動する際、ウェルプレート底面に液浸媒体が付着し、対物レンズとウェルプレートの間から抜けてしまうためである。
【先行技術文献】
【特許文献】
【０００６】
【特許文献１】ＷＯ２００５／０７８５０３
【発明の概要】
【発明が解決しようとする課題】
【０００７】
上記のように位相整合条件を緩和するため、ＣＡＲＳシステムにおいては開口数が大きい液浸対物レンズが良く用いられる。しかしウェルプレートに注入されたサンプルをスキャンニングにより計測する際には、先に述べた通り浸漬媒体の減少に対処しなければならない。
【０００８】
特許文献１は、スキャンシステムにおける液浸レンズの課題を取り扱っている。同文献は、対物レンズに取り付けたチューブを用いて、レンズに対して浸漬媒体を継続的に供給する。しかし同文献記載の手法は、浸漬媒体の流速に応じてスループットが低下する可能性がある。また同文献記載の手法は、浸漬媒体を供給制御する機構（浸漬媒体を搬送するチューブなど）を配置する必要があるので、システムの複雑度が増す。
【０００９】
本発明は、上記課題に鑑みてなされたものであり、スキャン中において浸漬媒体が減少することによって生じる信号損失を抑制しつつ、レーザスキャンシステムにおいて浸漬型対物レンズを用いることができるＣＡＲＳシステムを提供することを目的とする。
【課題を解決するための手段】
【００１０】
本発明に係る光計測装置は、浸漬媒体として用いる液体を収容する液体容器内にサンプル容器を吊り下げ、集束レンズの開口部分を液体内に突出させた状態で、集束レンズを液体容器に固定する。
【発明の効果】
【００１１】
本発明に係る光計測装置は、浸漬媒体を収容する液体容器に対物レンズを固定してサンプル容器をスキャンすることにより、浸漬媒体を損なうことなく、照射光の照射位置をスキャンすることができる。上記した以外の課題、構成、および効果は、以下の実施形態の説明により明らかにされる。
【図面の簡単な説明】
【００１２】
【図１】ＣＡＲＳプロセスのエネルギー図である。
【図２】実施形態１に係る光計測装置２００の構成図である。
【図３】集束レンズ２０６の周辺を拡大した図である。
【図４】スキャンデバイス２０９の周辺構成を示す図である。
【図５】スキャンデバイス２０９がサンプル容器３０１の位置をスキャンする様子を示す、サンプル容器３０１の上面図である。
【図６】光計測装置２００が試料から信号光を取得する手順を説明するフローチャートである。
【図７】Ｓ６０４の詳細手順を示す図である。
【図８】背景ノイズスペクトルの１例である。
【図９】信号光スペクトルの１例である。
【図１０】Ｓ６０４によって得たスペクトルの１例である。
【図１１】実施形態２に係る光計測装置２００が備えるウェル２０８の側面模式図である。
【図１２】実施形態３におけるサンプル容器３０１の構成図である。
【図１３】実施形態４に係るサンプル容器３０１の構成を示す側面図である。
【図１４】実施形態５に係る光計測装置２００の構成図である。
【発明を実施するための形態】
【００１３】
＜実施の形態１＞
図１は、ＣＡＲＳプロセスのエネルギー図である。ＣＡＲＳプロセスは、ポンプ光、ストークス光、プローブ光がサンプルと相互作用してアンチストークス光が生成される４光波混合プロセスである。ポンプ光とストークス光がラマン活性準位と一致するエネルギー差を有すると、分子振動がコヒーレントに駆動され、増幅されたアンチストークス光が得られる。
【００１４】
ＣＡＲＳ信号は、自発ラマン散乱プロセスと比較して信号強度が増加することに加えて、信号光の波長が短波長側にシフトするので、蛍光信号から分離することができる。蛍光信号は、ラマン分光におけるノイズ源となるものである。
【００１５】
図２は、本発明の実施形態１に係る光計測装置２００の構成図である。光計測装置２００は、ウェルプレートに注入されたサンプルをＣＡＲＳにより計測する装置である。光計測装置２００は、後述する液浸型の集束レンズを用いて、試料に対して光を照射する。
【００１６】
光源２０１が出射したパルス光は、ファイバ２０２と２０３へそれぞれ入射するように分岐される（第１光と第２光）。ファイバ２０３は、光源２０１が出射した光を用いてスーパーコンティニュウム光（５００〜３５００ｃｍ−１）を生成する。スーパーコンティニュウム光は遅延ライン２０４に入射する。遅延ライン２０４は、ファイバ２０２を通過する光とパルスのタイミングが合致するように、パルス遅延を調整するためのものである。ファイバ２０２はシングルモードファイバである。光結合部２０５（例えばダイクロイックミラー）は、ファイバ２０２を通過した光とファイバ２０３を通過した光を結合する。結合光は、集束レンズ２０６によって試料に対してプローブ光として集束される。集光レンズ２１１は、集束レンズ２０６が試料に対して光を照射することにより試料から生じる信号光を集光する。分光計２１２とカメラ２１３は、信号光を検出する。以上の構成により、図１に例示するＣＡＲＳ光を用いた光計測が実施される。その他部材については後述する。
【００１７】
図３は、集束レンズ２０６の周辺を拡大した図である。液体容器２０７内には、浸漬媒体２１０（例えば水）が収容されている。集束レンズ２０６は、液体容器２０７の底面に取り付けられて固定されている。集束レンズ２０６の開口部は、液体容器２０７の底面から上方に向けて突出している。したがって液体容器２０７内に浸漬媒体２１０が充填されている間は、開口部に対して浸漬媒体２１０が常時供給される。サンプル容器３０１は、試料を収容する容器である。サンプル容器３０１はウェル２０８を有し、ウェル２０８内に試料が収容される。集束レンズ２０６はウェル２０８内の試料に対して光を照射し、集光レンズ２１１は試料から生じる信号光を集光する。
【００１８】
図４は、スキャンデバイス２０９の周辺構成を示す図である。サンプル容器３０１はアーム２１４を介してスキャンデバイス２０９と接続されている。スキャンデバイス２０９とアーム２１４は、サンプル容器３０１が液体容器２０７内（すなわち浸漬媒体２１０内）に吊り下げられるようにして、サンプル容器３０１を保持する。スキャンデバイス２０９は、以下の手順にしたがってサンプル容器３０１の位置を走査する。
【００１９】
スキャンデバイス２０９はまず、サンプル容器３０１を垂直方向に移動させることにより、焦点深度を調整する。スキャンデバイス２０９は次に、計測する試料を収容しているウェル２０８に対して照射光が照射されるように、サンプル容器３０１を水平方向に移動させる。スキャンデバイス２０９は、各ウェル２０８に対してそれぞれ照射光が照射されるように、サンプル容器３０１を順次移動させる。サンプル容器３０１の走査手順の例については後述する。これにより全てのウェル２０８内の試料に対して照射光が照射され、各試料からＣＡＲＳ光が生成される。
【００２０】
図５は、スキャンデバイス２０９がサンプル容器３０１の位置をスキャンする様子の例を示す、サンプル容器３０１の上面図である。図５においては、液体容器２０７の略中央位置に集束レンズ２０６が取り付けられており（図示は省略）、照射光はこれに対応する照射位置５０１に集束される。スキャンデバイス２０９は例えば、まず図５の左上端部に配置されているウェル２０８に対して照射光が集束されるように、サンプル容器３０１を移動させる。スキャンデバイス２０９は次に、図５の右方向に向かってサンプル容器３０１を移動させることにより、図５の横方向に向かって各ウェル２０８を順次スキャンする。右端のウェル２０８に対する計測が完了すると１つ下の行を同様にスキャンする。以下同様にサンプル容器３０１を移動させることにより、全てのウェル２０８をスキャンする。
【００２１】
サンプル容器３０１の平面サイズは、全てのウェル２０８内の試料に対して照射光を照射できるように構成されている必要がある。例えばサンプル容器３０１が液体容器２０７に対して大きすぎると、全てのウェル２０８の位置を照射位置５０１と合わせることができない。換言すると、全てのウェル２０８に対して集束レンズ２０６から光を照射するために必要な余白部分が不足する。したがってサンプル容器３０１の平面サイズは、液体容器２０７の液体収容部分の平面サイズと照射位置５０１に応じて適切に定める必要がある。さらにはサンプル容器３０１上における各ウェル２０８の位置を考慮して、全てのウェル２０８に対して照射光が集束されるようにする必要がある。
【００２２】
スキャンデバイス２０９がサンプル容器３０１を移動させる速度は、試料種別、計測所要時間、信号光を取得するために必要な所要時間（同じウェル２０８に対して照射光を照射する時間）、などに応じて定めることができる。これらが変更された場合は、それに応じて移動速度を調整すればよい。
【００２３】
サンプル容器３０１の位置を走査する過程において、ウェル２０８内の試料から生じる信号光を検出するとともに、背景ノイズを検出することができる。走査位置をウェル２０８間で移動させている間において集光レンズ２１１が取得する光が、背景ノイズに相当する。信号光と背景ノイズの例については後述する。
【００２４】
図６は、光計測装置２００が試料から信号光を取得する手順を説明するフローチャートである。以下図６の各ステップについて説明する。
【００２５】
（図６：ステップＳ６０１〜Ｓ６０３）
ユーザは液体容器２０７内に浸漬媒体２１０を充填する（Ｓ６０１）。ユーザはサンプル容器３０１をアーム２１４に取り付ける（Ｓ６０２）。ユーザはスキャンデバイス２０９によってサンプル容器３０１のＺ方向位置を調整することにより、集束レンズ２０６の焦点深度を調整する（Ｓ６０３）。
【００２６】
（図６：ステップＳ６０４）
光源２０１から光を照射し、図２で説明した光学系にしたがって、集束レンズ２０６は照射光を照射位置５０１に対して照射する。照射位置５０１に配置されているウェル２０８内の試料から信号光が生じる。集光レンズ２１１は信号光を取得し、分光計２１２は信号光の信号スペクトルを取得する。信号スペクトルを取得する手順の具体例については後述する。
【００２７】
（図６：ステップＳ６０５〜Ｓ６０６）
Ｘ方向（図５における横方向）における位置スキャンを完了した場合はステップＳ６０７へ進む。完了していない場合、スキャンデバイス２０９は、Ｘ方向の隣接するウェル２０８に対して照射位置５０１を合わせるように、サンプル容器３０１を移動させ（Ｓ６０６）、Ｓ６０４に戻って同様に信号スペクトルを取得する。
【００２８】
（図６：ステップＳ６０７〜Ｓ６０８）
Ｙ方向（図５における縦方向）における位置スキャンを完了した場合は本フローチャートを終了する。完了していない場合、スキャンデバイス２０９は、Ｙ方向の隣接するウェル２０８に対して照射位置５０１を合わせるように、サンプル容器３０１を移動させ（Ｓ６０８）、Ｓ６０４に戻って同様に信号スペクトルを取得する。
【００２９】
図７は、Ｓ６０４の詳細手順を示す図である。分光計２１２は、以下の信号スペクトルを取得する：（ａ）１つのウェル２０８が収容している試料の信号光のスペクトル；（ｂ）背景ノイズの信号スペクトル；（ｃ）ダークスペクトル（何もない部分において取得した信号スペクトル）（５０１）。分光計２１２は、各スペクトルを時間平均する（５０２）。分光計２１２は、サンプル信号スペクトルからダークスペクトルを減算するとともに、背景ノイズスペクトルからダークスペクトルを減算する（５０３）。これによりレーザに起因するノイズを除去することができる。分光計２１２は、サンプル信号光スペクトルを背景ノイズスペクトルによって除算することにより、信号レベルを正規化する（５０４）。分光計２１２は、信号光スペクトルに対してフィルタリングを実施する（５０５）。例えばＳａｖｉｔｚｋｙ−Ｇｏｌａｙフィルタ、ウィナーフィルタ、ローパスフィルタ、ＩＩＲ（無間インパルス応答）フィルタ、などを用いることができる。分光計２１２は以上の手順により試料の計測結果を得ることができる。
【００３０】
図８〜図１０は、それぞれ背景ノイズスペクトルの１例（図８）、信号光スペクトルの１例（図９）、Ｓ６０４によって得たスペクトルの１例（図１０）である。
【００３１】
＜実施の形態１：まとめ＞
本実施形態１に係る光計測装置２００は、集束レンズ２０６の開口面を浸漬媒体２１０内に浸漬させるとともに、サンプル容器３０１を浸漬媒体２１０内に吊り下げるようにして保持する。これにより、浸漬媒体２１０を供給するための機構などを必要とすることなく、集束レンズ２０６に対して浸漬媒体２１０を常時供給することができる。したがってスキャンを高速に実施することができるので、スクリーニングプロセスのスループットが向上する。スループットが向上することにより、従来よりも広い領域を観察することができる。
【００３２】
＜実施の形態２＞
先に述べたようにＣＡＲＳシステムでは、集束レンズ２０６に開口数が大きいレンズが使われることが多い。したがって発生するＣＡＲＳ光の拡散角度も集束レンズの２０６の開口数に応じて大きくなる。したがって信号光の集束位置から集光レンズ２１１のレンズ面までの距離が大きいと、集光レンズ２１１が信号光を集光するまでの間において信号光が拡散することにより、大幅に減衰する。そこで本発明の実施形態２では、集光レンズ２１１が信号光を取得するまでの間における信号光の減衰を抑制する構成例を説明する。
【００３３】
図１１は、本実施形態２に係る光計測装置２００が備えるウェル２０８の側面模式図である。図１１左図は比較のため従来のウェル２０８の形状を示す。図１１右図は本実施形態２におけるウェル２０８の形状を示す。ウェル２０８の形状以外の構成は実施形態１と同様である。
【００３４】
ウェル２０８のアスペクト比（ウェル深さ／ウェル開口幅）が大きい場合、試料から信号光が生じてから集光レンズ２１１のレンズ面へ到達するまでの間に、信号光はウェル２０８の内側面と交差する。これにより集光レンズ２１１の集光効率が大幅に低下する。これに対して図１１右図のようにウェル２０８のアスペクト比を小さくすることにより、試料から生じた信号光は、集光レンズ２１１のレンズ面へ到達するまでの間においてウェル２０８の内側面と交差しない。したがって、図１１左図のような信号減衰を抑制することができる。１例として、開口数０．９５、開口角４５．６°の集束レンズ２０６を用いる場合、ウェル２０８の直径７ｍｍ、ウェル２０８の高さ３．４ｍｍとすることができる。
【００３５】
＜実施の形態３＞
図１２は、本発明の実施形態３におけるサンプル容器３０１の構成図である。図１２下段はサンプル容器３０１の透過平面図である。図１２上段は図１２下段におけるＡＡ断面図である。サンプル容器３０１以外の構成は実施形態１と同様である。
【００３６】
ウェル２０８は、上面プレート１２０５と下面プレート１２０４によって上下から挟まれるようにして封止されている。各プレートの厚さは例えば０．１７ｍｍ以下であり、サンプル容器３０１全体の厚さは例えば０．５１ｍｍ以下である。これによりウェル２０８は例えば１０〜３０μＬのごく微量の試料を収容することができる。各ウェル２０８間は隔壁１２０３によって区切ることができる。各ウェル２０８の形状や収容体積は必ずしも同じでなくともよい。サンプル容器３０１の側壁も各プレートと同様の部材で覆うことができる。図１２下段においては上面プレート１２０５と下面プレート１２０４をそれぞれ側壁として流用する例を示した。
【００３７】
図１２に示すサンプル容器３０１は、ウェル２０８が薄いので、実施形態２で説明した低アスペクト比のウェル２０８を実現することもできる。これに加えて、サンプル容器３０１の上面が上面プレート１２０５によって封止されているので、浸漬媒体２１０と接触することなく、集光レンズ２１１をウェル２０８に対して接近させることができる。これにより集光レンズ２１１と集光位置との間の距離をさらに短くできる。すなわち作動距離が短い（開口数が大きい）レンズを採用することができる。
【００３８】
＜実施の形態４＞
サンプル容器３０１を浸漬媒体２１０内で移動させると、浸漬媒体２１０が揺動して試料と混ざる可能性がある。そこで本発明の実施形態４では、浸漬媒体２１０がウェル２０８内に入り込まないようにサンプル容器３０１を構成した例を説明する。その他の構成は実施形態１〜２と同様である。
【００３９】
図１３は、本実施形態４に係るサンプル容器３０１の構成を示す側面図である。本実施形態４におけるサンプル容器３０１は、ブロック部材１３０１を備える。ブロック部材１３０１は、サンプル容器３０１の周縁部分に取り付けられており、浸漬媒体２１０がウェル２０８に対して入り込まないように浸漬媒体２１０の流れを遮断する部材である。すなわちウェル２０８は、ブロック部材１３０１によって周囲を囲まれていることになる。
【００４０】
図１３のようにブロック部材１３０１を配置することにより、浸漬媒体２１０と試料の混合を抑制することができるとともに、サンプル容器３０１をより高速に移動させることができる。混合のおそれがないからである。したがって光計測装置２００の計測スループットをさらに向上させることができる。実施形態３で説明したサンプル容器３０１において側壁を設ける場合、その側壁もブロック部材１３０１と同様に作用することを付言しておく。
【００４１】
＜実施の形態５＞
光計測装置２００の動作中、集束レンズ２０６の開口面とサンプル容器３０１の底面との間の領域において、気泡が発生する場合がある。照射光の光路上に気泡が存在すると、光の屈折率を変化させることにより計測プロセスにとってノイズ源となるので、計測中は気泡を除去することが望ましい。そこで本発明の実施形態５では、このような気泡を除去する構成例を説明する。気泡除去に関する構成以外は実施形態１〜４と同様である。
【００４２】
図１４は、本実施形態５に係る光計測装置２００の構成図である。ここでは集束レンズ２０６の周辺部分を示した。液体容器１４０１は、浸漬媒体２１０を収容している。配管１４０２を介してノズル１４０３から浸漬媒体２１０が噴出され、集束レンズ２０６の開口面とサンプル容器３０１の底面との間の領域において液流を発生させる。余剰な浸漬媒体２１０は、排出口１４０４から液体容器２０７の外へ排出される。ノズル１４０３が噴出する浸漬媒体２１０の流速は、気泡を集束レンズ２０６の開口面周辺から押し出すことができる程度に調整される。これにより照射光の光路上から気泡が除去されるので、気泡による屈折率変化を抑制することができる。
【００４３】
＜本発明の変形例について＞
本発明は上記した実施例に限定されるものではなく、様々な変形例が含まれる。上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４４】
以上の実施形態において、サンプル容器３０１の底面から上方に向かってウェル２０８が突出するように図面を記載したが、これはウェル２０８を模式的に図示するためのものである。ウェル２０８の形状は、試料を内部に収容することができれば、任意のものを採用することができる。
【００４５】
本発明を適用する光計測装置２００の１例としては、位相整合条件を満たすために高ＮＡ浸漬型対物レンズを必要とするＣＡＲＳシステムが挙げられる。例えば偏光ＣＡＲＳシステム、時間解像ＣＡＲＳシステム、フーリエドメインＣＡＲＳシステム、その他の浸漬媒体を用いるＣＡＲＳシステムにおいて、本発明を用いることができる。
【符号の説明】
【００４６】
２００：光計測装置
２０１：光源
２０２：ファイバ
２０３：ファイバ
２０４：遅延ライン
２０５：光結合部
２０６：集束レンズ
２０７：液体容器
２０８：ウェル
２０９：スキャンデバイス
２１０：浸漬媒体
２１１：集光レンズ
２１２：分光計
２１３：カメラ
２１４：アーム
３０１：サンプル容器
【図１】
2020193883.tif 000003
【図２】
2020193883.tif 000004
【図３】
2020193883.tif 000005
【図４】
2020193883.tif 000006
【図５】
2020193883.tif 000007
【図６】
2020193883.tif 000008
【図７】
2020193883.tif 000009
【図８】
2020193883.tif 000010
【図９】
2020193883.tif 000011
【図１０】
2020193883.tif 000012
【図１１】
2020193883.tif 000013
【図１２】
2020193883.tif 000014
【図１３】
2020193883.tif 000015
【図１４】
2020193883.tif 000016